(57)【要約】  ワイヤレス通信環境における送信機性能を監視することを容易にするシステムおよび方法を記述する。受信された変調シンボルが、送信機監視の間に知られない場合、各搬送波に対する変調シンボルを決定する必要があるかもしれない。一致した変調タイプを有する副搬送波のサブセットに対して変調タイプを評価して、誤った変調タイプ決定の確率を極端に低いレベルに減少させることができる。各変調タイプに対して、副搬送波のサブセットに対する特定の変調タイプの可能性を示すメトリックを発生させることができる。変調タイプは、メトリックに基づいて選択でき、変調タイプに一致する変調シンボルを副搬送波のサブセットに対して使用できる。【選択図】      図１
2009515490.tif 000002
【特許請求の範囲】
【請求項１】
一致した変調タイプを有する副搬送波のセットに対して、受信信号の変調タイプを決定する方法において、
前記副搬送波のセット中の各副搬送波に対して、複数の変調タイプ毎に、前記受信信号に最も近い変調シンボルを決定することと、
前記副搬送波のセット中の各副搬送波毎の、前記最も近い変調シンボルと前記受信信号との間の差に基づいて、前記複数の変調タイプのそれぞれに対するメトリックを発生させることと、
前記メトリックに基づいて、前記複数の変調タイプから、前記受信信号の変調タイプを選択することとを含む方法。
【請求項２】
複素平面における点として、前記受信信号を表すことと、
前記複素平面における点として、前記複数の変調タイプに対する変調シンボルを表すこととをさらに含み、
前記最も近い変調シンボルは、前記受信信号の点と前記変調シンボルの点との間の前記複素平面における距離に基づいて決定される請求項１記載の方法。
【請求項３】
前記複素平面は配置図として表され、前記点は配置点である請求項２記載の方法。
【請求項４】
前記最も近い変調シンボルと前記受信信号との間の差は、前記複素平面における前記受信信号の点と前記変調シンボルの点との間の距離に少なくとも部分的に基づいて測定される請求項２記載の方法。
【請求項５】
前記最も近い変調シンボルを決定することは、
各変調タイプに対して、前記複素平面内の領域のセットを決定することと、
前記受信信号の点が前記領域のセットのそれぞれに対して位置している領域を各搬送波毎に決定することとをさらに含み、
変調タイプに対する前記最も近いシンボルは、前記受信信号の点が位置している前記領域に対応する請求項２記載の方法。
【請求項６】
前記副搬送波のセットに対して、各変調タイプに対するメトリックを発生させることは、
前記副搬送波のセット中の各副搬送波に対する、前記受信信号の点と、前記変調タイプに対する前記最も近い変調シンボルの点との間の距離の平方を、合計することをさらに含む請求項２記載の方法。
【請求項７】
前記副搬送波のセットに対して、各変調タイプに対するメトリックを発生させることは、
前記副搬送波のセット中の各副搬送波に対する、前記受信信号の点と、変調点に対する前記最も近い変調シンボルの点との間の距離の、平均をとることをさらに含む請求項２記載の方法。
【請求項８】
各副搬送波毎に、前記選択された変調タイプに対する前記最も近い変調シンボルを利用して、送信機性能を示すメトリックを発生させることをさらに含む請求項１記載の方法。
【請求項９】
前記送信機性能を示すメトリックは、変調エラー比（ＭＥＲ）と、ノイズ分散と、チャネル周波数応答と、グループ遅延とのうちの少なくとも１つを含む請求項８記載の方法。
【請求項１０】
前記複数の変調タイプは、直角位相シフトキーイング（ＱＰＳＫ)と、６．２５のエネルギ比（ＥＲ６．２５）を有する階層化ＱＰＳＫと、１６ＱＡＭ（直角位相振幅変調）と、４．０のエネルギ比（ＥＲ４）を有するＱＰＳＫとのうちの少なくとも１つを含む請求項１記載の方法。
【請求項１１】
前記副搬送波のセットは、ハーフインターレースである請求項１記載の方法。
【請求項１２】
一致した変調タイプを有する副搬送波のセットに対して、受信信号の変調タイプを決定する装置において、
前記副搬送波のセット中の各副搬送波に対して、複数の変調タイプ毎に、前記受信信号に最も近い変調シンボルを決定し、前記副搬送波のセット中の各副搬送波毎の、前記最も近い変調シンボルと前記受信信号との間の差に基づいて、前記複数の変調タイプのそれぞれに対するメトリックを発生させ、前記メトリックに基づいて、前記複数の変調タイプから、前記受信信号の変調タイプを選択するプロセッサを具備する装置。
【請求項１３】
前記プロセッサに結合され、前記複数の変調タイプに関連した情報を記憶するメモリをさらに具備する請求項１２記載の装置。
【請求項１４】
前記プロセッサは、複素平面における点として、前記受信信号と、前記複数の変調タイプに対する変調シンボルを表し、前記最も近い変調シンボルは、
前記受信信号の点と前記変調シンボルの点との間の前記複素平面における距離に基づいて決定される請求項１２記載の装置。
【請求項１５】
前記最も近い変調シンボルと前記受信信号との間の差は、前記複素平面における前記受信信号の点と前記変調シンボルの点との間の距離である請求項１４記載の装置。
【請求項１６】
前記プロセッサは、各変調タイプに対して、前記複素平面を領域のセットに分割し、前記受信信号の点が前記領域のセットのそれぞれに対して位置している領域を各搬送波毎に決定し、変調タイプに対する前記最も近いシンボルは、前記受信信号の点が位置している前記領域に対応する請求項１４記載の装置。
【請求項１７】
前記プロセッサは、前記副搬送波のセット中の各副搬送波に対する、前記受信信号の点と、前記変調タイプに対する前記最も近い変調シンボルの点との間の距離の平方を、合計して、前記メトリックを発生させる請求項１４記載の装置。
【請求項１８】
前記プロセッサは、各副搬送波毎に、前記選択された変調タイプに対する前記最も近い変調シンボルを利用して、送信機性能を示すメトリックを発生させる請求項１４記載の装置。
【請求項１９】
前記複数の変調タイプは、直角位相シフトキーイング（ＱＰＳＫ)と、６．２５のエネルギ比（ＥＲ６．２５）を有する階層化ＱＰＳＫと、１６ＱＡＭ（直角位相振幅変調）と、４．０のエネルギ比（ＥＲ４）を有するＱＰＳＫとのうちの少なくとも１つを含む請求項１２記載の装置。
【請求項２０】
一致した変調タイプを有する副搬送波のセットに対して、受信信号の変調タイプを決定する装置において、
前記副搬送波のセット中の各副搬送波に対して、複数の変調タイプ毎に、前記受信信号に最も近い変調シンボルを決定する手段と、
前記副搬送波のセット中の各副搬送波毎の、前記最も近い変調シンボルと、前記受信信号との間の差に基づいて、前記複数の変調タイプのそれぞれに対するメトリックを発生させる手段と、
前記メトリックに基づいて、前記複数の変調タイプから、前記受信信号の変調タイプを選択する手段を具備する装置。
【請求項２１】
配置点として、前記受信信号を表す手段と、
配置点として、前記複数の変調タイプに対する変調シンボルを表す手段とをさらに具備し、
前記最も近い変調シンボルは、前記受信信号の点と前記変調シンボルの点との間の距離に基づいて決定される請求項２０記載の装置。
【請求項２２】
前記最も近い変調シンボルと前記受信信号との間の差は、前記受信信号の点と前記変調シンボルの点との間の距離に少なくとも部分的に基づいて測定される請求項２１記載の装置。
【請求項２３】
各変調タイプに対して、配置図を領域のセットに分割する手段と、
前記受信信号の点が前記領域のセットのそれぞれに対して位置している領域を各搬送波毎に決定する手段をさらに具備し、
変調タイプに対する前記最も近いシンボルは、前記受信信号の点が位置している前記領域に対応する請求項２１記載の装置。
【請求項２４】
前記副搬送波のセット中の各副搬送波に対する、前記受信信号の点と、前記変調タイプに対する前記最も近い変調シンボルの点との間の距離の平方を、合計する手段をさらに具備する請求項２１記載の装置。
【請求項２５】
各副搬送波毎に、前記選択された変調タイプに対する前記最も近い変調シンボルを利用して、送信機性能を示すメトリックを発生させる手段をさらに具備する請求項２１記載の装置。
【請求項２６】
前記複数の変調タイプは、直角位相シフトキーイング（ＱＰＳＫ)と、６．２５のエネルギ比（ＥＲ６．２５）を有する階層化ＱＰＳＫと、１６ＱＡＭ（直角位相振幅変調）と、４．０のエネルギ比（ＥＲ４）を有するＱＰＳＫとのうちの少なくとも１つを含む請求項２０記載の装置。
【請求項２７】
一致した変調タイプを有する副搬送波のセット中の各副搬送波に対して、複数の変調タイプ毎に、受信信号に最も近い変調シンボルを決定し、
前記副搬送波のセット中の各副搬送波毎の、前記最も近い変調シンボルと前記受信信号との間の差に基づいて、前記複数の変調タイプのそれぞれに対するメトリックを発生させ、
前記メトリックに少なくとも部分的に基づいて、前記複数の変調タイプから、前記受信信号の変調タイプを選択するコンピュータ実行可能命令を記憶したコンピュータ読み取り可能媒体。
【請求項２８】
複素平面における点として、前記受信信号を表し、
前記複素平面における点として、前記複数の変調タイプに対する変調シンボルを表す命令をさらに含み、
前記最も近い変調シンボルは、前記受信信号の点と前記変調シンボルの点との間の前記複素平面における距離に基づいて決定される請求項２７記載のコンピュータ読み取り可能媒体。
【請求項２９】
前記最も近い変調シンボルと前記受信信号との間の差は、前記複素平面における前記受信信号の点と前記変調シンボルの点との間の距離に少なくとも部分的に基づいて測定される請求項２８記載のコンピュータ読み取り可能媒体。
【請求項３０】
各変調タイプに対して、前記複素平面内の領域のセットを決定し、
前記受信信号の点が前記領域のセットのそれぞれに対して位置している領域を各搬送波毎に決定する命令をさらに含み、
変調タイプに対する前記最も近いシンボルは、前記受信信号の点が位置している前記領域に対応する請求項２８記載のコンピュータ読み取り可能媒体。
【請求項３１】
前記副搬送波のセット中の各副搬送波に対する、前記受信信号の点と、前記変調タイプに対する前記最も近い変調シンボルの点との間の距離の平方を、合計して、前記メトリックを発生させる命令をさらに含む請求項２８記載のコンピュータ読み取り可能媒体。
【請求項３２】
各副搬送波毎に、前記選択された変調タイプに対する前記最も近い変調シンボルを利用して、送信機性能を示すメトリックを発生させる命令をさらに含む請求項２８記載のコンピュータ読み取り可能媒体。
【請求項３３】
前記複数の変調タイプは、直角位相シフトキーイング（ＱＰＳＫ)と、６．２５のエネルギ比（ＥＲ６．２５）を有する階層化ＱＰＳＫと、１６ＱＡＭ（直角位相振幅変調）と、４．０のエネルギ比（ＥＲ４）を有するＱＰＳＫとのうちの少なくとも１つを含む請求項２７記載のコンピュータ読み取り可能媒体。
【請求項３４】
一致した変調タイプを有する副搬送波のセットに対して、送信信号の変調タイプを決定する命令を実行するプロセッサにおいて、
前記命令は、
前記副搬送波のセット中の各副搬送波に対して、複数の変調タイプ毎に、受信信号に最も近い変調シンボルを決定することと、
前記副搬送波のセット中の各副搬送波毎の、前記最も近い変調シンボルと前記受信信号との間の差に基づいて、前記複数の変調タイプのそれぞれに対するメトリックを発生させることと、
前記メトリックに基づいて、前記複数の変調タイプから、前記受信信号の変調タイプを選択することとを含むプロセッサ。
【請求項３５】
前記命令は、
複素平面における点として、前記受信信号を表すことと、
前記複素平面における点として、前記複数の変調タイプに対する変調シンボルを表すこととをさらに含み、
前記最も近い変調シンボルは、前記受信信号の点と前記変調シンボルの点との間の前記複素平面における距離に基づいて決定される請求項３４記載のプロセッサ。
【請求項３６】
前記最も近い変調シンボルと前記受信信号との間の差は、前記複素平面における前記受信信号の点と前記変調シンボルの点との間の距離に少なくとも部分的に基づいて測定される請求項３５記載のプロセッサ。
【請求項３７】
前記命令は、
各変調タイプに対して、前記複素平面内の領域のセットを決定することと、
前記受信信号の点が前記領域のセットのそれぞれに対して位置している領域を各搬送波毎に決定することとをさらに含み、
変調タイプに対する前記最も近いシンボルは、前記受信信号の点が位置している前記領域に対応する請求項３５記載のプロセッサ。
【請求項３８】
前記命令は、
前記副搬送波のセット中の各副搬送波に対する、前記受信信号の点と、前記変調タイプに対する前記最も近い変調シンボルの点との間の距離の平方を、合計することをさらに含む請求項３５記載のプロセッサ。
【請求項３９】
前記命令は、
各副搬送波毎に、前記選択された変調タイプに対する前記最も近い変調シンボルを利用して、送信機性能を示すメトリックを発生させることをさらに含む請求項３５記載のプロセッサ。
【発明の詳細な説明】
【関連出願に対する相互参照】
【０００１】
本出願は、２００５年１１月８日に出願された“メディアＦＬＯテスト受信機のためのハーフインターレースベースのシーケンス検出アルゴリズム”と題する米国仮出願第６０／７３４，８８５号の利益を主張する。
【背景】
【０００２】
Ｉ．分野
以下の記述は、一般的にワイヤレス通信に関し、特に、送信機性能を評価することに関する。
【０００３】
ＩＩ．背景
ワイヤレスネットワーキングシステムは、広く行き渡った手段になっており、それによって世界中の大多数の人が通信するようになっている。ワイヤレス通信デバイスは、消費者のニーズを満たし、携帯性および利便性を向上させるために、より小さく、そしてより強力になっている。消費者は、セルラ電話機、パーソナルデジタルアシスタント（ＰＤＡ）およびこれらに類似するもののような、ワイヤレス通信デバイスに頼るようになっており、信頼できるサービスおよび拡張されたカバレッジのエリアを要求している。
【０００４】
（例えば、周波数、時間およびコード、分割技術を使用する）一般的なワイヤレス通信ネットワークは、カバレッジエリアを提供する１つ以上の基地局と、カバレッジエリア内でデータを送信および受信できる１つ以上の移動（例えば、ワイヤレス）ユーザデバイスとを含む。一般的な基地局は、ブロードキャスト、マルチキャスト、および／またはユニキャストサービスのために複数のデータストリームを同時に送信でき、ここでデータストリームは、ユーザデバイスにとって独立した受信関心があるものとすることができるデータのストリームである。その基地局のカバレッジエリア内のユーザデバイスは、複合ストリームにより搬送される、１つ、１つより多い、またはすべてのデータストリームを受信することに関心があるかもしれない。同様に、ユーザデバイスは、基地局または別のユーザデバイスに対してデータを送信できる。
【０００５】
システム設計における最新の進歩を利用して、高品質の性能を達成するために、フォワードリンク専用（ＦＬＯ）技術が、ワイヤレス通信サービスプロバイダの産業グループにより開発されている。ＦＬＯ技術は、移動マルチメディア環境に向けられており、移動ユーザデバイスを有するユーザに適している。ＦＬＯ技術は、リアルタイムのコンテンツストリーミングと他のデータサービスとの両方に対して、高品質の受信を達成するように設計されている。ＦＬＯ技術は、電力消費を損なうことなく、ロバストな移動性能と高い容量とを提供できる。さらに、配備する必要がある基地局の送信機の数を減少させることにより、ＦＬＯ技術は、マルチメディアコンテンツを配信するネットワークコストを低減させる。さらに、ＦＬＯ技術ベースのマルチメディアのマルチキャスティングは、同一の移動デバイスにコンテンツを配信するワイヤレスオペレータのセルラネットワークデータおよび音声サービスが無料である。
【０００６】
基地局の送信機性能は、ワイヤレスシステムの全体の性能に対してきわめて重要である。特に、より少ない送信機を利用できる、ＦＬＯ技術を利用するワイヤレスシステムにおいて、それぞれの送信機の性能は、重要である。それ故に、送信機の性能は、設置の前後で注意深く監視されるべきである。
【概要】
【０００７】
１つ以上の実施形態の単純化した概要を以下で提示して、このような実施形態の基本的な理解を提供する。この概要は、考えられるすべての実施形態の広範囲にわたる概観ではなく、すべての実施形態の、重要なまたは重大な要素を識別することも、いくつかまたはすべての実施形態の範囲を詳細に描写することも意図していない。その唯一の目的は、後に提示されるより詳細な記述に対する前置きとして、単純化した形態中で１つ以上の実施形態のいくつかの概念を提示することである。
【０００８】
１つ以上の実施形態およびそれらについての対応する開示にしたがって、受信信号の変調タイプを決定してワイヤレス通信環境における送信機性能を監視することを容易にすることに関して、さまざまな観点を記述する。誤った変調タイプ決定の確率を極めて低いレベルに低減させるために、ハーフインターレースのような一致した変調タイプを有する副搬送波のサブセットに対して、変調タイプを評価できる。各変調タイプに対して、副搬送波のサブセットに対する特定の変調タイプの可能性を示すメトリックを発生させることができる。変調タイプは、メトリックに基づいて選択でき、変調タイプと一致する変調シンボルをサブセットに対して使用できる。
【０００９】
関連した観点にしたがうと、一致した変調タイプを有する副搬送波のセットに対して、受信信号の変調タイプを決定する方法は、副搬送波のセット中の各副搬送波に対して、複数の変調タイプ毎に、受信信号に最も近い変調シンボルを決定することと、副搬送波のセット中の各副搬送波毎の、最も近い変調シンボルと受信信号との間の差に基づいて、変調タイプのそれぞれに対するメトリックを発生させることと、メトリックに基づいて、変調タイプから、受信信号の変調タイプを選択することとを含むことができる。方法は、複素平面における点として、受信信号と変調タイプに対する変調シンボルとを表すことをさらに含むことができ、ここで最も近い変調シンボルは、受信信号の点と変調シンボルの点との間の複素平面における距離に基づいて決定される。最も近い変調シンボルと受信信号との間の距離は、複素平面における受信信号の点と変調シンボルの点との間の距離に基づいて測定できる。さらに、各変調タイプに対するメトリックを発生させることは、副搬送波のセット中の各副搬送波に対する、受信信号の点と、変調タイプに対する最も近い変調シンボルの点との間の距離の平方を、合計すること含むことができる。方法は、各副搬送波毎に、選択された変調タイプに対する最も近い変調シンボルを利用して、送信機性能を示すメトリックを発生させることをさらに含むことができる。
【００１０】
さらに別の観点にしたがうと、一致した変調タイプを有する副搬送波のセットに対して、受信信号の変調タイプを決定する装置は、副搬送波のセット中の各副搬送波に対して、複数の変調タイプ毎に、受信信号に最も近い変調シンボルを決定し、副搬送波のセット中の各副搬送波毎の、最も近い変調シンボルと受信信号との間の差に基づいて、変調タイプのそれぞれに対するメトリックを発生させ、メトリックに基づいて、変調タイプから、受信信号の変調タイプを選択するプロセッサを備える。装置は、プロセッサに結合され、複数の変調タイプに関連した情報を記憶するメモリをさらに備えることができる。さらなる観点において、プロセッサは、複素平面における点として、受信信号と複数の変調タイプに対する変調シンボルとを表すことができ、ここで最も近いシンボルは、受信信号の点と変調シンボルの点との間の複素平面における距離に基づいて決定される。さらに、プロセッサは、副搬送波のセット中の各副搬送波に対する、受信信号の点と、変調タイプに対する最も近い変調シンボルの点との間の距離の平方を、合計して、メトリックを発生させることができる。
【００１１】
別の観点にしたがうと、一致した変調タイプを有する副搬送波のセットに対して、受信信号の変調タイプを決定する装置は、副搬送波のセット中の各副搬送波に対して、複数の変調タイプ毎に、受信信号に最も近い変調シンボルを決定する手段と、副搬送波のセット中の各副搬送波毎の、最も近い変調シンボルと受信信号との間の差に基づいて、変調タイプのそれぞれに対するメトリックを発生させる手段と、メトリックに基づいて、変調タイプから、受信信号の変調タイプを選択する手段とを備えることができる。装置は、配置点として受信信号を表す手段と、配置点として変調タイプに対する変調シンボルを表す手段とをさらに備えることができ、ここで最も近い変調シンボルは、受信信号の点と変調シンボルの点との間の距離に基づいて決定される。さらに、装置は、副搬送波のセット中の各副搬送波に対する、受信信号の点と、変調タイプに対する最も近い変調シンボルの点との間の距離の平方を、合計する手段を備えることができる。
【００１２】
さらに別の観点は、一致した変調タイプを有する副搬送波のセット中の各副搬送波に対して、複数の変調タイプ毎に、受信信号に最も近い変調シンボルを決定し、副搬送波のセット中の各副搬送波毎の、最も近い変調シンボルと受信信号との間の差に基づいて、変調タイプのそれぞれに対するメトリックを発生させ、メトリックに少なくとも部分的に基づいて、変調タイプから、受信信号の変調タイプを選択するコンピュータ実行可能命令を記憶しているコンピュータ読み取り可能媒体に関する。コンピュータ読み取り可能媒体は、複素平面における点として受信信号を表わし、複素平面における点として複数の変調タイプに対する変調シンボルを表す命令を記憶することもでき、最も近い変調シンボルは、受信信号の点と、変調シンボルの点との間の複素平面における距離に基づいて決定される。さらに、コンピュータ読み取り可能媒体は、副搬送波のセット中の各副搬送波に対する、受信信号の点と、変調タイプに対する最も近い変調シンボルの点との間の距離の平方を、合計して、メトリックを発生させる命令を記憶することもできる。
【００１３】
さらに別の観点は、一致した変調タイプを有する副搬送波のセットに対して、受信信号の変調タイプを決定する命令を実行するプロセッサに関し、命令は、副搬送波のセット中の各副搬送波に対して、複数の変調タイプ毎に、受信信号に最も近い変調シンボルを決定することと、副搬送波のセット中の各副搬送波毎の、最も近い変調シンボルと受信信号との間の差に基づいて、複数の変調タイプのそれぞれに対するメトリックを発生させることと、メトリックに基づいて、複数の変調タイプから、受信信号の変調タイプを選択することとを含む。プロセッサは、複素平面における点として受信信号を表わし、複素平面における点として複数の変調タイプに対する変調シンボルを表す命令を実行でき、ここで、最も近い変調シンボルは、受信信号の点と、変調シンボルの点との間の複素平面における距離に基づいて決定される。さらに、プロセッサは、副搬送波のセット中の各副搬送波に対する、受信信号の点と、変調タイプに対する最も近い変調シンボルの点との間の距離の平方を、合計する命令を実行できる。
【００１４】
前述の、および関連する目的の達成のために、１つ以上の実施形態は、以下で十分に記述した特徴および特許請求の範囲で特に指摘した特徴を備える。以下の記述および添付の図面は、１つ以上の実施形態の、いくつかの例示的な観点を詳細に示す。これらの観点は、さまざまな実施形態の原理を用いることができるいくつかのさまざまな方法を示すが、記述した実施形態は、すべてのこのような観点およびそれらの均等物を含むように意図されている。
【詳細な説明】
【００１５】
図面に関連して、さまざまな実施形態をこれから記述し、全体を通して同じ要素に言及するために、同じ参照番号を使用する。以下の記述において、説明のため、１つ以上の実施形態の完全な理解を提供するために、多数の特定の詳細な説明を述べる。しかしながら、これらの特定の詳細な説明なしに、そのような実施形態を実施できることは明白であるかもしれない。他の例において、１つ以上の実施形態を記述することを容易にするために、よく知られている構造およびデバイスをブロック図の形態で示す。
【００１６】
本出願中で使用されるような、用語“コンポーネント”、“システム”、およびこれらに類似するものは、コンピュータ関連エンティティ、ハードウェア、ハードウェアとソフトウェアとの組み合わせ、ソフトウェアまたは実行中のソフトウェアを指すように意図されている。例えば、コンポーネントはプロセッサ上で実行するプロセス、プロセッサ、オブジェクト、実行ファイル、実行のスレッド、プログラム、および／またはコンピュータであってもよいが、それだけに限られない。１つ以上のコンポーネントが１つのプロセスおよび／または実行のスレッド内に存在してもよく、コンポーネントが１つのコンピュータ上にローカライズされてもよく、および／または２つ以上のコンピュータ間に分散されてもよい。また、これらのコンポーネントは、記憶されたさまざまなデータ構造を有するさまざまなコンピュータ読み取り可能媒体から実行できる。コンポーネントは、１つ以上のデータパケット（例えば、ローカルシステム中の、分散システム中の別のコンポーネントと相互に対話する、および／またはインターネットのようなネットワークを通して、信号により他のシステムと相互に対話する、１つのコンポーネントからのデータ）を有する信号にしたがうような、ローカルおよび／またはリモートプロセスを通して通信できる。
【００１７】
さらに、ユーザデバイスと関連して、さまざまな実施形態をここで記述する。ユーザデバイスは、システム、加入者ユニット、加入者局、移動局、移動デバイス、リモート局、アクセスポイント、基地局、リモート端末、アクセス端末、ユーザ端末、端末、ユーザエージェント、またはユーザ機器（ＵＥ）と呼ばれることもある。ユーザデバイスは、セルラ電話機、コードレス電話機、セッション開始プロトコル（ＳＩＰ）電話機、ワイヤレスローカルループ（ＷＬＬ）局、ＰＤＡ、ワイヤレス接続機能を有するハンドヘルドデバイス、またはワイヤレスモデムに接続される他の処理デバイスとすることができる。
【００１８】
さらに、標準プログラミングおよび／または工学技術を使用する方法、装置、または製造品として、ここで記述したさまざまな観点または特徴を実現できる。ここで使用する用語“製造品”は、任意のコンピュータ読み取り可能デバイス、キャリア、または媒体からアクセス可能なコンピュータプログラムを含むように意図されている。例えば、コンピュータ読み取り可能媒体は、磁気記憶デバイス（例えば、ハードディスク、フロッピー（登録商標）ディスク、磁気ストリップなど）、光ディスク（例えば、コンパクトディスク（ＣＤ）、デジタルバーサタイルディスク（ＤＶＤ）など）、スマートカード、およびフラッシュメモリデバイス（例えば、カード、スティック、キードライブなど）を含むが、それらに限定されない。
【００１９】
ＦＬＯワイヤレスシステムは、リアルタイムのオーディオおよびビデオ信号だけでなく、非リアルタイムのサービスもブロードキャストするように設計されている。所定の地理的エリアにおいて広いカバレッジを確保するために、ＦＬＯ送信は、背丈の高い、高電力送信機を利用して実行される。ＦＬＯ信号が、所定の市場における人口の著しい部分に届くことを確保するために、市場において複数の送信機を配備することが一般的である。
【００２０】
一般的に、ＦＬＯ技術は、直交周波数分割多重（ＯＦＤＭ）を利用する。ＯＦＤＭのような、周波数分割ベースの技術は一般的に、周波数スペクトルを一様なチャンクの帯域幅に分割することにより、周波数スペクトルを別個のチャネルに分離する。例えば、ワイヤレスセルラ電話通信のために割り当てられた周波数スペクトルまたは帯域を３０のチャネルに分割でき、３０のチャネルのそれぞれは、音声会話またはデジタルサービスとして、デジタルデータを搬送できる。それぞれのチャネルは、同時に１つのユーザデバイスまたは端末だけに割り当てることができる。ＯＦＤＭは、システム全体の帯域幅を複数の直交周波数チャネルに効果的に分割する。ＯＦＤＭシステムは、時および／または周波数分割多重を使用して、複数の端末に対する複数のデータ送信間で直交性を達成してもよい。例えば、異なるチャネルを異なる端末に割り当ててもよく、各端末に対するデータ送信を、この端末に割り当てられたチャネルに送信してもよい。異なる端末に対して、ばらばらになったすなわちオーバーラップしていないチャネルを使用することにより、複数の端末間の干渉を回避し、または減少させることができ、向上した性能を達成できる。
【００２１】
基地局の送信機性能は、ワイヤレスシステム、特にＦＬＯ技術を利用したワイヤレスシステムの全体の性能に対してきわめて重要である。それ故に、送信機を試験および評価するシステムおよび／または方法は、正確であり、費用対効果が大きいものであるべきである。工場で、すなわち設置の前に送信機を試験して、設置に対する資格を送信機に与えることができる。さらに、設置後に送信機を試験または監視して、引き続き送信機性能を確保できる。ワイヤレス環境ブロードキャスティングＦＬＯ、デジタルマルチメディアブロードキャスティング（ＤＭＢ）、デジタルビデオブロードキャスティング（ＤＶＢ）、ＤＶＢ−Ｈ、ＤＶＢ−Ｔ、ＤＶＢ−ＳまたはＤＶＢ−Ｓ２信号を含むが、これらに限定されないワイヤレス環境において、ここで記述したシステムおよび方法を使用して、送信機性能を評価できる。
【００２２】
図１を参照すると、ここで表したさまざまな観点にしたがう送信機評価システム１００が、図示されている。システム１００は、信号分析器１０４を含むことができ、信号分析器１０４を使用して、送信機１０２により発生した信号をサンプリングできる。信号を受信する受信機の代わりに信号分析器１０４を使用することにより、システム１００は、付加的なノイズおよび歪みの可能性のある源として、受信機を除くことができる。システム１００はまた、信号分析器１０４により取り込まれた信号を処理し、送信機１０２の性能を評価するメトリックを発生させることができるプロセッサ１０６を含むことができる。プロセッサ１０６は、変調シンボル決定器１０８を含むことができる。変調シンボル決定器１０８は、受信信号のシンボルが知られていないとき、変調シンボルを決定する。受信信号は、評価システムにより受信され、または測定される信号である。プロセッサ１０６は、チャネル推定器１１０を含むことができ、チャネル推定器１１０を使用して、それぞれの副搬送波に対して周波数領域のチャネル推定を発生させることができる。プロセッサ１０６はまた、送信機１０２の性能を評価する、変調エラーレート（ＭＥＲ）のようなメトリックを発生させるメトリック発生器１１２を含むことができる。メトリック発生器１１２により生成されるメトリックは、チャネル推定器１１０により生成される周波数領域のチャネル推定に基づくことができる。システム１００はまた、プロセッサ１０６に接続されたメモリ１１４を含むことができ、メモリ１１４は、送信機性能評価に関するデータ（例えば、シンボルデータおよびメトリックデータ）を収集する。さらに、システム１００は、プロセッサにより発生する視覚のフィードバックを通して、ユーザが送信機性能を監視することを可能にするディスプレイコンポーネント１１６を含むことができる。
【００２３】
プロセッサ１０６は、ディスプレイコンポーネント１１６のためにさまざまなタイプのユーザインターフェイスを提供できる。例えば、プロセッサ１０６は、グラフィカルユーザインターフェイス（ＧＵＩ）、コマンドラインインターフェイスおよびこれらに類似するものを提供できる。例えば、ＧＵＩは、送信機情報を見るための領域をユーザに提供できる。これらの領域は、ダイアログボックス、スタテック制御、ドロップダウンメニュー、リストボックス、ポップアップメニュー、例えば編集制御、コンボボックス、ラジオボタン、チェックボックス、プッシュボタン、およびグラフィックボックスを含む、知られているテキストおよび／またはグラフィック領域を含むことができる。さらに、ナビゲーションのための垂直および／または水平スクロールバーのような、表示を容易にするユーティリティおよび領域が見えるかどうかを決定するツールバーボタンを用いることができる。
【００２４】
１つの例において、コマンドラインインターフェイスを用いることができる。例えば、送信機性能が、予め定められた範囲から外れているというテキストメッセージまたはアラートをユーザに提供することにより、コマンドラインインターフェイスは、ユーザに（例えば、ディスプレイ上のテキストメッセージおよび音声トーンにより）情報を要求できる。ＧＵＩおよび／またはアプリケーションプログラムインターフェイス（ＡＰＩ）と関連して、コマンドラインインターフェイスを用いることができることを理解すべきである。さらに、ハードウェア（例えば、ビデオカード）および／または限られたグラフィックサポートを有する（例えば、白黒およびＥＧＡ）ディスプレイ、ならびに／あるいは小さい帯域幅の通信チャネルと関連して、コマンドラインインターフェイスを用いることができる。
【００２５】
さらに、送信機性能が、受け入れられる範囲から外れている場合に、評価システムは、ユーザに通知するアラートを発生させることができる。アラートは、音声、映像またはユーザの注意を引くように意図された他の何らかの形態とすることができる。評価システムは、許容可能な範囲の境界を示す、値の予め定められたセットを含むことができる。代わりに、ユーザは、境界をダイナミックに決定してもよい。さらに、評価システムは、送信機性能における変化に基づいて、アラートを発生させることができる。
【００２６】
図２を参照すると、ここで表したさまざまな実施形態にしたがうワイヤレス通信システム２００が図示されている。システム２００は、１つ以上のセクタ中に１つ以上の基地局２０２を備えることができ、基地局２０２は、互いに、および／または１つ以上の移動デバイス２０４に対して、ワイヤレス通信信号を受信したり、送信したり、中継したりなどをする。基地局は、端末と通信するために使用される固定局であってもよく、アクセスポイント、ノードＢ、または他の用語で呼ばれることもある。各基地局２０２は、送信機チェーンおよび受信機チェーンを備えることができ、送信機チェーンおよび受信機チェーンのそれぞれは、次に、当業者に理解されるように、信号の送信および受信に関係付けられた複数のコンポーネント（例えば、プロセッサ、変調器、マルチプレクサ、復調器、デマルチプレクサ、アンテナなど）を備えることができる。移動デバイス２０４は、例えば、セルラ電話機、スマート電話機、ラップトップ、ハンドヘルド通信デバイス、ハンドヘルド計算デバイス、衛星無線機、全地球測位システム、ＰＤＡおよび／またはワイヤレスシステム２００に対して通信する他の何らかの適切なデバイスとすることができる。さらに、各移動デバイス２０４は、複数入力複数出力（ＭＩＭＯ）システムに対して使用されるような、１つ以上の送信機チェーンおよび受信機チェーンを備えることができる。各送信機および受信機チェーンは、当業者に理解されるように、信号の送信および受信に関係付けられた複数のコンポーネント（例えば、プロセッサ、変調器、マルチプレクサ、復調器、デマルチプレクサ、アンテナなど）を備えることができる。
【００２７】
図３は、ワイヤレス通信システム３００の説明図である、システム３００は、送信するためのデータを通信衛星システム３０４から受け取ることができる送信機３０２を含む。衛星システム３０４からの信号は、統合された受信機デコーダ３０６を通して伝搬することができ、統合された受信機デコーダ３０６は、衛星復調器３０８と簡易ネットワーク管理プロトコル（ＳＮＭＰ）制御ユニット３１０とを含むことができる。統合された受信機デコーダ３０６からの信号データは、送信機３０２内の励振器３１２に入力できる。さらに、送信機３０２は、モデム３１６を通して、インターネットプロバイダ（ＩＰ）ネットワーク３１４に接続できる。モデム３１６は、送信機３０２内のＳＮＭＰ制御ユニット３１８と接続できる。励振器３１２は、パーサおよび単一周波数ネットワーク（ＳＦＮ）バッファ３２０、ボウラーコア３２２ならびにデジタルアナログ変換器（ＤＡＣ）およびＩ／Ｑ変調器３２４を含むことができる。衛星システム３０４からの信号データをパーサおよびＳＦＮバッファ３２０中で構文解析し、記憶することができる。ボウラーコア３２２は、信号データを表す複素数を発生させ、同相（Ｉ）および直角（Ｑ）成分として、信号データをデジタルアナログ変換器（ＤＡＣ）およびＩ／Ｑ変調器３２４に渡す。ＤＡＣおよびＩ／Ｑ変調器３２４は、シンセサイザ３２６を利用して、信号データを処理し、アナログの無線周波数（ＲＦ）信号を生成できる。データがアナログに変換された後、結果として生じるＲＦ信号データを電力増幅器３２８に渡し、ハーモニックフィルタ３３０に通すことができる。さらに、アンテナ３３４により送信する前に、データは、チャネルフィルタ３３２を通過できる。
【００２８】
送信機性能を評価するために、励振器３１２により生成されるＲＦ信号データを監視できる。送信機エラーまたはノイズの可能性のある源は、アップサンプリング、デジタルアナログ変換およびＲＦ変換を含む。励振器の出力においてまたはチャネルフィルタの出力において、信号をサンプリングでき、それにより、電力増幅およびフィルタリングの、前または後のいずれかでＲＦ信号をサンプリングできる。信号が増幅後にサンプリングされる場合、電力増幅の非線形性のために、信号を補正すべきである。
【００２９】
図４を参照すると、送信機システムの励振器３１２に接続された送信機評価システム４００が図示されている。全地球測位システム（ＧＰＳ）受信機４０２からの信号を使用して、送信機の励振器３１２と信号分析器１０４とを同期させることができる。共通のクロック基準として動作するために、ＧＰＳ受信機４０２からの外部１０メガヘルツのクロックを励振器３１２と信号分析器１０４との両方に送り込むことができる。信号分析器１０４によるサンプリングの開始を励振器３１２により出力されるＲＦ信号データのスーパーフレームの開始に同期させるために、ＧＰＳ４０２は、同期化のために励振器３１２に対して、そしてサンプリングの開始をトリガするために信号分析器１０４に対して１秒間に１パルス（ＰＰＳ）の信号を送信できる。信号分析器１０４は、送信される信号のベースバンドのチップレートに同期するレートで、励振器のアナログ出力波形のデジタルサンプルを発生させることができる。サンプリングされたデータは次にプロセッサ１０６に送り込まれる。汎用目的のプロセッサまたは送信データの分析専用のプロセッサを使用して、プロセッサ１０６を実現できる。汎用目的のプロセッサの使用により、送信機評価システム４００のコストを低減させることができる。量子化ノイズを回避するために、信号分析器１０４は、浮動小数点モードで実行するように構成できる。
【００３０】
図５を参照すると、受信または測定された信号と、送信された信号との間の差を図示する配置図が示されている。配置図の軸は、複素数の実数および虚数成分を表し、同位相またはＩ軸および直角位相またはＱ軸と呼ばれている。受信または測定された信号の配置点と、送信された信号の配置点との間のベクトルは、エラーを表し、エラーは、デジタルアナログ変換の不正確、電力増幅器の非線形性、帯域内振幅リップル、送信機ＩＦＦＴ量子化エラーおよびこれらに類似するものを含むことがある。
【００３１】
送信機評価システムは、１つ以上のメトリックを発生させて、送信機の性能を評価できる。プロセッサにより発生されるメトリックは、変調エラー比（ＭＥＲ）、グループ遅延またはチャネル周波数応答を含むが、これらに限定されない。特にＭＥＲは、送信機内の欠陥の累積的な影響を測定する。副搬送波に対するＭＥＲは、副搬送波に対する信号対ノイズ比（ＳＮＲ）に等しい。ＭＥＲは、次の式を使用して発生させることができる。
【数１】
2009515490.tif 000003
【００３２】
ここで、Ｉは、測定された配置点の同位相値であり、Ｑは、測定された配置点の直角位相値であり、Ｎは、副搬送波の数である。ΔＩは、送信された信号と測定された信号との同位相値間の差であり、ΔＱは、送信された信号と測定された信号との直角位相値間の差である。
【００３３】
図６ないし１０および１２ないし１３を参照すると、ワイヤレス通信システムにおいて送信機性能を評価することに関する方法が図示されている。一方、説明を簡単にするため、一連の動作として方法を示し、記述しているが、いくつかの動作は、１つ以上の実施形態にしたがって、異なる順序で、および／またはここで示し、記述した他の動作と同時に起こってもよいので、方法は、動作の順序により制限されないことを理解および認識すべきである。例えば、方法は、状態図のように一連の相互関係のある状態または事象として代わりに表わすことができることを、当業者は理解および認識するであろう。さらに、１つ以上の実施形態にしたがって方法を実現するために、図示した動作のすべてを利用しなくてもよい。
【００３４】
図６を参照すると、送信機から受信されたＲＦ信号データを処理し、送信機性能を評価する方法６００が図示されている。一般的に、送信機は、リアルタイムにスケジュールされたデータストリームをスーパーフレームでブロードキャストする。スーパーフレームは、フレームのグループ（例えば、１６のフレーム）を含むことができ、フレームは、データの論理単位である。
【００３５】
６０２において、信号は、送信機から受信されまたはサンプリングされる。受信信号は、次のように記すことができる。
【数２】
2009515490.tif 000004
【００３６】
ここで、Ｈkは、副搬送波ｋのチャネルであり、既知の変調シンボルＰkは、搬送波ｋ上で送信できる。ゼロの平均とσ2の分散とを有する複素加算性白色ガウスノイズ（ＡＷＧＮ）は、Ｎkにより表すことができる。
【００３７】
副搬送波に対して可能な変調のタイプは、直角位相シフトキーイング（ＱＰＳＫ）、６．２５のエネルギ比（ＥＲ６．２５）を有する階層化ＱＰＳＫ、１６ＱＡＭ（直角位相振幅変調）および４．０のエネルギ比（ＥＲ４）を有する階層化ＱＰＳＫを含むことができるが、これらに限定されない。配置の観点に基づいて分析したとき、エネルギ比４．０を有する階層化ＱＰＳＫは、１６ＱＡＭと同一である。ここで使用する、配置の観点は、複素平面においてデジタル変調スキームを表すための配置図の利用を指す。配置図上の配置点として、変調シンボルを表すことができる。
【００３８】
６０４において、副搬送波に対する初期周波数領域チャネル推定を決定できる。信号Ｙkを既知のシンボルＰkで割ることにより、それぞれの副搬送波に対する初期チャネル推定を取得できる。選択されたシンボルを送信でき、それゆえ、シンボルは、性能評価の目的のために既知である。例えば、設置前の試験の間に、シンボルの特定のパターンを送信でき、それにより、各副搬送波に対するシンボルが予測可能であり、したがって既知である。送信される変調シンボルが知られていないときの変調シンボルの決定は、以下で詳細に論じる。スーパーフレーム内のＯＦＤＭシンボルｌ毎の各副搬送波ｋに対する初期周波数領域チャネル推定は、次のように表すことができる。
【数３】
2009515490.tif 000005
【００３９】
ここで、Ｚk,lは、副搬送波ｋおよびＯＦＤＭシンボルｌに対する初期チャネル推定である。
【００４０】
６０６において、平均チャネル推定が決定される。スーパーフレーム全体に対して平均をとることにより、副搬送波のチャネル推定Ｚk,lを向上させることができ、それにより、
【数４】
2009515490.tif 000006
【００４１】
となる。ここでｋは、ＯＦＤＭシンボルのインデックスであり、Ｌは、スーパーフレーム中のＯＦＤＭシンボルの数である（例えば、１１８８シンボル）。平均チャネル推定の分散は、初期チャネル推定の分散より小さいので、平均チャネル推定の分散を使用して、メトリック発生の間に副搬送波のチャネル利得を見積もることができる。
【００４２】
６０８において、送信機性能を評価するメトリックが発生される。例えば、副搬送波ｋに対するＭＥＲを発生させることができる。送信されたシンボルが知られていると仮定すると、ノイズ分散は、次の式により推定できる。
【数５】
2009515490.tif 000007
【００４３】
ここで、Ｘk,mは、副搬送波ｋに対して送信されたシンボルを表す。ノイズＷkの同位相および直角位相成分は、おおよそ
【数６】
2009515490.tif 000008
【００４４】
であると示すことができる。確率変数Ｂkが、推定されるノイズ分散である場合、これにより、
【数７】
2009515490.tif 000009
【００４５】
そして、
【数８】
2009515490.tif 000010
【００４６】
となる。
【００４７】
ＭＥＲは、副搬送波に対する平均チャネル推定、副搬送波上で送信されたシンボルおよび副搬送波に対して受信された信号に基づいて決定できる。ＭＥＲは、次の例示的な式に基づいて計算できる。
【数９】
2009515490.tif 000011
【００４８】
ここで、
【数１０】
2009515490.tif 000012
【００４９】
は、副搬送波ｋに対する平均チャネル推定であり、Ｐkは、副搬送波上で送信されるシンボルであり、Ｙkは、受信信号であり、Ｎkは、ＡＷＧＮである。さらに、ＭＥＲは、すべての副搬送波に対して平均をとることにより計算できる。
【００５０】
追加的なメトリックを発生させて、送信機性能を評価できる。例えば、メトリックは、周波数応答およびグループ遅延を含むことができる。副搬送波ｋのグループ遅延は、次のように計算できる。
【数１１】
2009515490.tif 000013
【００５１】
ここで、ｋ＝１，．．．，４０００であり、
【数１２】
2009515490.tif 000014
【００５２】
は、副搬送波ｋとｋ−１との間の位相差であり、
【数１３】
2009515490.tif 000015
【００５３】
は、副搬送波ｋとｋ−１との間の周波数の差である。
【００５４】
図７を参照すると、送信されるシンボルが知られていない送信機を評価する方法７００が図示されている。リアルタイムのデータストリームが送信されるとき、変調シンボル（例えば、ＱＰＳＫまたは１６ＱＡＭシンボル）は、知られていない。しかしながら、パイロットシンボルは知られている。７０２において、信号が受信される。７０４において、副搬送波に対する粗い初期チャネル推定を発生させることができる。以下で図８に関して記述するように、粗い初期チャネル推定は、既知のパイロットシンボルならびに線形内挿および外挿を使用して実行できる。７０６において、副搬送波に対する変調シンボルが決定される。図９ないし図１２に関して以下で記述するように、変調シンボルは、配置図を使用して決定できる。受信信号の配置点と、最も近い変調シンボルの配置点との間の距離に基づいて、変調シンボルを選択できる。シンボル選択は、以下でさらに詳細に記述する。７０８において、各副搬送波に対する初期周波数領域チャネル推定を決定できる。受信信号を変調シンボルで割ることにより、各搬送波に対する初期チャネル推定を取得できる。
【００５５】
７１０において、精度を上げるために、チャネル推定は、スーパーフレームに対して平均をとられる。粗いチャネル推定、変調シンボルに基づいたチャネル推定、または両方の組のチャネル推定を使用して、平均チャネル推定を決定できる。７１２において、チャネル推定に少なくとも部分的に基づいて送信機を評価するメトリックを発生させることができる。例えば、上で詳細に記述したように、チャネル推定と変調シンボルに基づいて、各副搬送波に対するＭＥＲを決定できる。
【００５６】
図８を参照すると、粗いチャネル推定を発生させる方法８００が図示されている。上で詳細に論じたように、受信信号は、チャネル推定、副搬送波に対するシンボルおよびノイズ項であるＡＷＧＮ、の関数として記すことができる。各ＯＦＤＭシンボルにおいて、受信機に知られているパイロットシンボルを搬送する予め定められた数の副搬送波（例えば、パイロットＱＰＳＫシンボルを搬送する５００の副搬送波）がある。それ故に、変調シンボルは、搬送波のこのサブセットに対して知られている。結果として、８０２において、パイロット副搬送波に対してチャネル推定を計算できる。８０４において、２つのパイロット副搬送波間の副搬送波に対するチャネル推定は、線形内挿を使用して取得できる。８０６において、スーパーフレームの端にあり、結果としてパイロット副搬送波の間に位置していない副搬送波に対するチャネル推定は、線形外挿を使用して取得できる。
【００５７】
さらに、スーパーフレームのＯＦＤＭシンボルに対してパイロットシンボルの（２，６）パターンのスタガリングがあるので、現在のＯＦＤＭシンボルの５００のパイロットと前のＯＦＤＭシンボルの５００のパイロットとの両方を使用して、周波数領域チャネル推定を取得できる。このようなケースにおいて、パイロット副搬送波のチャネル推定は、パイロットシンボルを使用して発生され、残りの副搬送波のチャネル推定は、線形内挿または外挿により取得される。
【００５８】
図９を参照すると、変調シンボルを決定する方法９００が図示されている。９０２において、受信信号の配置点と、可能性のある変調シンボルの配置点との間の距離が計算される。例えば、受信信号の配置点と、その信号の配置点に最も近いＱＰＳＫ配置点との間の距離だけでなく、受信信号の配置点と、その信号の配置点に最も近い１６ＱＡＭ配置点との間の距離も計算できる。９０４において、信号の配置点に最も近い変調シンボルの配置点が、変調シンボルとして選択される。変調シンボルの選択における精度を上げるために、変調シンボルは、一致した変調タイプを有する副搬送波のサブセットに対する変調タイプと比較できる。一致した変調タイプを有する副搬送波のサブセットの例として、ハーフインターレースがここで使用される。しかしながら、ここで論じるシステムおよび方法において、一致した変調タイプを有する副搬送波のサブセットは、ハーフインターレースに限定されない。副搬送波のサブセットに対する変調タイプに対して、副搬送波に対する変調シンボルをチェックすることにより、変調シンボル選択における誤りを回避できる。９０６において、副搬送波のサブセットに対する変調タイプを決定できる。９０８において、変調シンボルが変調タイプに一致するかどうかが決定される。はいである場合、プロセスは終了する。いいえである場合、９１０において、変調シンボルは再評価され、変調タイプに一致する変調シンボルが決定される。
【００５９】
一般的に、変調タイプは、ハーフインターレースの間は一致したままである。一般に、ＦＬＯプロトコルにおける制約のために、変調タイプは、インターレース内で変化しない。ここで使用するインターレースは、副搬送波のセット（例えば、５００の副搬送波）である。結果として、ハーフインターレースは、インターレースの半分（例えば、２５０の副搬送波）である。しかしながら、レート２／３の階層化変調に対して、基本レイヤ専用モードで動作するときに、変調タイプをインターレース内でＱＰＳＫに切り換えることができる。これらの条件のもとでさえ、各ハーフインターレース内の変調タイプは、一定のままである。それ故に、各ハーフインターレースに対する変調タイプは、過半数の投票を使用して、決定できる。ハーフインターレースに対するまたは一致した変調タイプを有する副搬送波の他の何らかのサブセットに対する変調タイプを決定するために、サブセット内の各副搬送波に対して、変調シンボル、およびその結果として、変調タイプを決定できる。各搬送波に対応する変調タイプに基づいた過半数の投票を使用して、サブセットに対する変調タイプを決定できる。例えば、２５０の副搬送波を含むハーフインターレースに対して、１９８の副搬送波に対する変調タイプは、ＱＰＳＫ変調タイプと一致したものとすることができ、残りの５２の副搬送波に対する変調シンボルは、１６ＱＡＭ変調タイプと一致したものとすることができる。副搬送波の過半数は、ＱＰＳＫとして検出されるので、ＱＰＳＫが、ハーフインターレースに対する変調タイプとして選択されるだろう。配置図中の位置に基づいて、１６ＱＡＭ変調タイプに関係付けられた５２の副搬送波を再評価し、ＱＰＳＫ変調シンボルに再割り当てすることができる。副搬送波の変調シンボルをハーフインターレースに対する変調タイプと比較すること、そして、必要に応じて副搬送波の変調シンボルを再評価することにより、変調シンボル選択の精度が上がる。
【００６０】
図１０ないし１１を参照すると、変調シンボルを決定する方法１０００が、図１０中に図示されている。１００２において、さまざまな変調シンボルを表す配置点を含む配置図が、一連の領域に分割される。各領域は、変調シンボルの配置点と関係付けられている。各領域中のすべての点の、各領域の配置点に対する距離が、そのようなすべての点と他の任意の領域の配置点との間の距離より小さいかまたは等しいという特性を、各領域中のすべての点が有するように、領域が規定される。配置図の第１象限をカバーする領域のセットを、図１１中で図示する。１００４において、受信信号の配置点が位置している領域が決定される。受信信号の信号点が位置している領域に対応する変調シンボルが、変調シンボルとして選択される。一致した変調タイプ（例えば、ハーフインターレース）を有する副搬送波のサブセットに対する変調タイプに対して、変調シンボルをチェックできる。１００６において、副搬送波のサブセットに対する変調タイプが決定できる。１００８において、変調シンボルが変調タイプと一致しているかどうかが決定される。はいである場合、プロセスは終了する。いいえである場合、１０１０において、変調シンボルは再評価され、変調タイプに一致する変調シンボルが選択される。変調シンボルがサブセットの変調タイプと一致しない場合、変調タイプと一致する変調シンボルが選択される。
【００６１】
図１２を参照すると、一致した変調タイプ（例えば、ハーフインターレース）を有する副搬送波のサブセットに対して、変調タイプと変調シンボルを決定する方法１２００が図示されている。１２０２において、信号の配置点に最も近い変調シンボルの配置点が、各変調タイプに対して決定される。各変調タイプに対する最も近い変調シンボルの配置点は、各副搬送波に対して決定される。例えば、３つの可能性のある変調タイプ（例えば、１６ＱＡＭ、ＥＲ４およびＥＲ６．２５）がある場合、３つの最も近い変調シンボルの配置点が、各タイプに対して１つ、副搬送波のサブセット中のすべての副搬送波に対して決定される。
【００６２】
受信信号の配置点と、可能性のある変調シンボルの配置点との間の距離を計算し、最小距離に対応する変調シンボルの配置点を選択することにより、変調タイプに対する最も近い変調シンボルの配置点が決定できる。代わりに、最も近い変調シンボルの配置点は、領域を使用して決定できる。配置図を変調タイプの変調シンボルに対応する領域に分割することにより、特定の変調タイプに対する最も近い変調シンボルの配置点が決定できる。各領域中のすべての点の、各領域の配置点に対する距離が、そのようなすべての点と他の任意の領域の配置点との間の距離より小さいかまたは等しいという特性を、各領域中のすべての点が有するように、領域が規定される。受信信号の配置点が位置している領域に対応する変調シンボルが、その特定の変調タイプに対する最も近い変調シンボルの配置点として選択される。
【００６３】
１２０４において、距離が、上のように計算されなかった場合、信号の配置点と、最も近い変調シンボルの点のそれぞれとの間の距離が、副搬送波のサブセット中の各副搬送波に対して決定される。距離が、前にまたは１２０４において計算された場合、各変調タイプに対する距離の値が、各副搬送波に関係付けられる。例えば、３つの可能性のある変調タイプがある場合、サブセット中の各搬送波は、それに関係付けられた３つの距離の値を有する。距離の値のそれぞれは、３つの可能性のある変調タイプのうちの１つに対応する。１つの変調タイプに対する最も近い変調シンボルの配置点と、信号の配置点との間の最小の距離の平方として、距離の値を計算できる。
【００６４】
１２０６において、サブセットに対する各変調タイプに対して、メトリックが発生される。変調タイプに対するメトリックは、その変調タイプに対する、サブセット中の各副搬送波に対する距離の平方値を合計することにより、発生させることができる。代わりに、変調タイプに対するメトリックは、その変調タイプに対する、サブセット中の各副搬送波に対する距離を平均することにより発生させることができる。１２０８において、発生したメトリックに基づいて、変調タイプを選択できる。例えば、変調タイプに対する、サブセット中の各副搬送波に対する距離の平方値を合計することにより、メトリックが発生する場合、選択される変調タイプは、最も小さい値を有するメトリックに対応するはずである。１２１０において、いったんサブセットに対する変調タイプが選択されると、選択された変調タイプに対する、最も近い変調シンボルの点に対応する変調シンボルを副搬送波に対する変調シンボルとして使用できる。
【００６５】
ここで記述した送信機評価システムおよび方法は、時間周波数オフセットに起因するエラーまたは歪みを低減させ、または除去するように向けられた、位相補正も含むべきである。位相補正が実行されない場合、チャネル推定の平均は不正確になることがあり、結果として、評価メトリックは、誤ったものになるかもしれない。一般的に、チャネル推定の平均の前に位相補正を実行して、周波数オフセットによる位相ランプを補正できる。
【００６６】
図１３を参照すると、位相補正を使用して送信機を評価する方法１３００が図示されている。１３０２において、信号が、送信機から受信される。１３０４において、副搬送波に対するチャネル推定が決定できる。図６中で図示したように、知られているシンボル、または図７中で図示したように、知られていないシンボルを使用して、チャネル推定は決定できる。１３０６において、位相補正を実行できる。位相補正後、１３０８において、平均チャネル推定を決定できる。１３１０において、送信機性能を評価するメトリックを発生させることができる。例えば、チャネル推定に基づいて、副搬送波に対するＭＥＲを決定できる。
【００６７】
図１４を参照すると、周波数オフセットを補正する方法１４００が図示されている。周波数オフセットを含む受信信号は、次のように記すことができる。
【数１４】
2009515490.tif 000016
【００６８】
ここで、Ｒnは、ｎ番目の副搬送波の複素振幅であり、Ｎは、副搬送波の総数である。最初の副搬送波の周波数は、ω0により表され、ωsは、副搬送波の間隔を表し、Δωは、周波数オフセットである。一定の周波数オフセットは、時間とともに線形の位相変化を結果として生ずるだろう。時間とともに線形に変化する周波数オフセットは、時間に対して放物線状の位相変化を結果として生ずるだろう。一定のまたは線形に変化する周波数オフセットのいずれかは、予測可能な位相変化を結果として生じ、それらは、図１３中で示ししたように、平均する前に補正できる。
【００６９】
位相変化の勾配を計算することによる１次位相補正アルゴリズムを使用して、線形位相変化を補正できる。例えば、位相変化は、次のように計算できる。
【数１５】
2009515490.tif 000017
【００７０】
ここで、
【数１６】
2009515490.tif 000018
【００７１】
は、２つの隣接するＯＦＤＭシンボル間のチャネル推定の位相変化であり、
【数１７】
2009515490.tif 000019
【００７２】
は、初期チャネル推定の位相であり、Ｌは、ＯＦＤＭシンボルの数であり、ＴOFDMは、周期である。
【００７３】
放物線状の位相変化は、放物関数のパラメータａ、ｂ、ｃを決定するＬＳアルゴリズムを有する２次位相補正を使用して補正できる。推定される位相は、次のように記すことができる。
【数１８】
2009515490.tif 000020
【００７４】
ここで、ｔは時間である。推定される位相を使用して、平均する前に、推定されるチャネルを補正できる。
【００７５】
しかしながら、周波数オフセットは、必ずしも一定または線形に変化していない。結果として、位相変化は、必ずしも線形または放物線状ではなく、予測可能でない。可変の周波数オフセットを補正するための１つの可能性のある解法は、持続時間をセグメントに区切り、次に各セグメントに対する位相変化を推定することを含む。結果として、図６に関して記述したＭＥＲkの式における推定されるノイズ分散Ｂkは、次のように修正されるべきである。
【数１９】
2009515490.tif 000021
【００７６】
ここで、Ｎは、セグメントの数である。
【００７７】
受信信号から得られる各ＯＦＤＭシンボルの各チャネルに対するノイズ項は、２つの直交する次元、振幅次元および位相次元に分解できる。振幅次元におけるノイズ項は、加算性白色ガウスノイズと考えることができる。位相方向におけるノイズ項は、加算性白色ガウスノイズ（ＡＷＧＮ）と周波数オフセットから生じる歪みとの合計であると考えることができる。周波数オフセットに起因する歪みは、除去すべきである。しかしながら、位相次元中のＡＷＧＮの成分は、維持されるべきである。
【００７８】
図１４中で図示した方法１４９９において示されるように、１４０２において、時間を分割するセグメントの数が決定される。１４０４において、周波数オフセットによる位相変化が、セグメントに対して推定される。１４０６において、セグメントは、１または２次の補正アルゴリズムのいずれかを使用して補正される。１４０８において、補正する追加のセグメントがあるかどうかに関して、決定が実行される。はいである場合、プロセスは１４０４に戻り、次のセグメントに対して位相補正を決定する。いいえである場合、プロセスは終了する。
【００７９】
１つの極端な例において、振幅次元におけるノイズの分散が、位相次元におけるノイズの分散に等しい場合、セグメントの最大数は、処理されているＯＦＤＭシンボルの数に等しい。結果として、位相次元におけるノイズは、周波数オフセットによる歪みと同様に除去される。結果として、位相次元においてノイズを含むＭＥＲの真の値は、定数（例えば、３．０１ｄＢ）を引いた、発生したＭＥＲの値に等しい。
【００８０】
ここで記述した１つ以上の実施形態にしたがって、送信フォーマット、周波数などに関して、推測が実施できることが理解されるだろう。ここで使用するとき、用語“推測する”または“推測”は一般的に、事象および／またはデータを通して取り込まれる１セットの観測から、システム、環境、および／またはユーザ、の状態について理論的に考えること、または推測するプロセスに関係する。例えば、推測を用いて特定の情況または動作を識別でき、または状態に対して確率分布を発生させることができる。推測は、確率的、すなわち、データおよび事象の考慮に基づいた、関心のある状態に対する確率分布の計算とすることができる。推測はまた、１セットの事象および／またはデータからより高いレベルの事象を構成するために用いられる技術に関係することもある。事象が時間的にきわめて接近して相関付けられていようとなかろうと、事象およびデータが１つまたはいくつかの事象およびデータ源から生じていようとなかろうと、このような推測は、１セットの観測された事象および／または記憶された事象データから、新しい、事象または動作の構造を結果として生ずる。
【００８１】
１つの例にしたがうと、上で表した１つ以上の方法は、位相補正を利用するセグメントの数に関して、推測を実施することを含むことができる。さらに、ユーザに対して表示するデータおよびフォーマットに関して、推測を実施できる。
【００８２】
図１５を参照すると、一致した変調タイプ（例えば、ハーフインターレース）を有する副搬送波のサブセットに対して変調タイプを決定して、ここで表した１つ以上の観点にしたがって、ワイヤレス通信環境中で送信機性能を評価することを容易にするシステム１５００が図示されている。システム１５００は、最も近い変調シンボル決定器１５０２、メトリック発生器１５０４および変調タイプ選択器１５０６を含むことができる。最も近い変調シンボル決定器１５０２は、サブセット中の各副搬送波に対して、各変調タイプ毎に、受信信号に最も近い変調シンボルを決定する。サブセット中の各副搬送波毎の、各変調タイプに対する最も近い変調シンボルと受信信号との間の差に基づいて、メトリック発生器１５０４は、各変調タイプに対するメトリックを発生させることができる。変調タイプ選択器１５０６は、メトリック発生器１５０４により発生したメトリックに基づいて、受信信号の変調タイプを選択できる。さらに、システム１５００は、変調シンボル点決定器１５０８を含むことができ、変調シンボル点決定器１５０８は、配置図上の配置点として変調シンボルを表すことができる。信号点決定器１５１０は、配置点として、受信信号を表すことができる。最も近い変調シンボルは、受信信号の点と変調シンボルの点との間の距離に基づいて決定できる。システム１５００は、各変調タイプに対して、配置図を領域のセットに分割できる配置分割器１５１２と、受信信号の点が領域のセットのそれぞれに対して位置している領域を各副搬送波に対して決定できる領域選択器１５１４とを含むこともできる。変調タイプに対して最も近い変調シンボルは、受信信号の点が位置している領域に対応する。
【００８３】
図１６は、通信環境において送信機性能を監視することを提供するシステム１６００の説明図である。システム１６００は、受信機１６１０を有する基地局１６０２を備え、受信機１６１０は、１つ以上の受信アンテナ１６０６を通して、１つ以上のユーザデバイス１６０４から信号を受信し、１つ以上の送信アンテナ１６０８を通して、１つ以上のユーザデバイス１６０４に送信する。１つ以上の実施形態において、受信アンテナ１６０６および送信アンテナ１６０８は、単一の組のアンテナを使用して実現できる。受信機１６１０は、受信アンテナ１６０６から情報を受信でき、受信した情報を復調する復調器１６１２に動作可能に関係付けられている。受信機１６１０は、例えば、レーク受信機（例えば、複数のベースバンド相関器を使用して、マルチパス信号成分を個々に処理する技術）、ＭＭＳＥベースの受信機、または当業者によって理解される、割り当てられたユーザデバイスを分離する他のいくつかの適切な受信機とすることができる。さまざまな観点にしたがって、（例えば、受信アンテナ１つにつき）複数の受信機を用いることができ、このような受信機は、互いに通信して、ユーザデータの向上した推定を提供できる。復調されたシンボルは、プロセッサ１６１４により分析される。プロセッサ１６１４は、受信機コンポーネント１６１４により受信した情報を分析すること、および／または送信機１６１４により送信する情報を発生させることを専用とするプロセッサとすることができる。プロセッサ１６１４は、基地局１６０２の１つ以上のコンポーネントを制御するプロセッサ、および／または受信機１６１０により受信した情報を分析し、送信機１６２０により送信する情報を発生させ、基地局１６０２の１つ以上のコンポーネントを制御するプロセッサとすることができる。各アンテナに対する受信機出力は、受信機１６１０および／またはプロセッサ１６１４により共同で処理できる。変調器１６１８は、ユーザデバイス１６０４に対して送信アンテナ１６０８を通して送信機１６２０により送信する信号を多重化する。プロセッサ１６１４は、ＦＬＯチャネルコンポーネント１６２２に結合でき、ＦＬＯチャネルコンポーネント１６２２は、１つ以上のそれぞれのユーザデバイス１６０４に関係付けられたＦＬＯ情報を処理することを容易にすることができる。
【００８４】
基地局１６０２は、送信機モニタ１６２４を含むことができる。送信機モニタ１６２４は、送信機出力および／または送信機アンテナ出力をサンプリングし、送信機１６２０の性能を評価できる。送信機モニタ１６２４は、プロセッサ１６１４に結合できる。代わりに、送信機モニタ１６２４は、送信機出力を処理する別個のプロセッサを含むことができる。さらに、送信機モニタ１６２４は、基地局１６０２から独立していてもよい。
【００８５】
基地局１６０２は、メモリ１６１６を付加的に備えることができ、メモリ１６１６は、プロセッサ１６１４に動作可能に結合され、配置領域、変調シンボルおよび／またはここで示したさまざまな動作および機能を実行することに関連した他の何らかの適切な情報を記憶できる。ここで記述したデータ記憶（例えば、メモリ）コンポーネントは、揮発性メモリまたは不揮発性メモリのどちらでもよく、あるいは揮発性および不揮発性メモリの両方を含んでもよいことが理解される。実例として、これに限定されないが、不揮発性メモリは、読み出し専用メモリ（ＲＯＭ）、プログラム可能ＲＯＭ（ＰＲＯＭ）、電気的にプログラム可能ＲＯＭ（ＥＰＲＯＭ）、電気的に消去可能ＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。実例として、これに限定されないが、ＲＡＭは多くの形態で利用でき、例えば同期ＲＡＭ（ＳＲＡＭ）、ダイナミックＲＡＭ（ＤＲＡＭ）、同期ＤＲＡＭ（ＳＤＲＡＭ）、倍速データレートＳＤＲＡＭ（ＤＤＲ ＳＤＲＡＭ）、エンハンストＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）がある。本主題の、システムおよび方法のメモリ１６１６は、これらに限定されず、これらおよび他の任意の適切なタイプのメモリを備えるように意図されている。
【００８６】
図１７は、例示的なワイヤレス通信システム１７００を示す。簡潔にするために、ワイヤレス通信システム１７００は、１つの基地局および１つのユーザデバイスを描写する。しかしながら、システムは１つより多い基地局および／または１つより多いユーザデバイスを含むことができ、追加的な基地局および／またはユーザデバイスは、以下で記述する例示的な基地局およびユーザデバイスと実質的に類似または相違してもよいことを理解すべきである。さらに、基地局および／またはユーザデバイスは、ここで記述した、システム（図１、３ないし４および１５ないし１６）および／または方法（図６ないし１０および１２ないし１４）を用いることができることを理解すべきである。
【００８７】
図１７を参照すると、アクセスポイント１７０５におけるダウンリンク上で、送信（ＴＸ）データプロセッサ１７１０は、トラフィックデータを受け取り、フォーマットし、コード化し、インターリーブし、および変調（またはシンボルマッピング）し、変調シンボル（“データシンボル”）を提供する。シンボル変調器１７１５は、データシンボルとパイロットシンボルとを受け取って処理し、シンボルのストリームを提供する。シンボル変調器１７１５は、データおよびパイロットシンボルを多重化し、送信機（ＴＭＴＲ）１７２０にそれらを提供する。それぞれの送信シンボルは、データシンボル、パイロットシンボル、またはゼロの信号値であってもよい。パイロットシンボルは、それぞれのシンボル期間中に連続して送られてもよい。パイロットシンボルを、周波数分割多重化（ＦＤＭ）、直交周波数分割多重化（ＯＦＤＭ）、時分割多重化（ＴＤＭ）、周波数分割多重化（ＦＤＭ）、またはコード分割多重化（ＣＤＭ）することができる。
【００８８】
送信機１７２０は、シンボルのストリームを受け取り、１つ以上のアナログ信号に変換し、さらにアナログ信号を調整して（例えば、増幅し、フィルタリングし、および周波数アップコンバートする）、ワイヤレスチャネルに対して送信するのに適したダウンリンク信号を発生させる。ダウンリンク信号は次にアンテナ１７２５を通してユーザデバイスに送信される。ユーザデバイス１７３０において、アンテナ１７３５はダウンリンク信号を受信し、受信機（ＲＣＶＲ）１７４０に対して、受信された信号を提供する。受信機１７４０は、受信された信号を調整し（例えば、フィルタリングし、増幅し、および周波数ダウンコンバートする）、調整された信号をデジタル化してサンプルを取得する。シンボル復調器１７４５は、受信されたパイロットシンボルを復調し、チャネル推定のためにプロセッサ１７５０に提供する。シンボル復調器１７４５は、プロセッサ１７５０からダウンリンクに対する周波数応答推定をさらに受け取り、受信されたデータシンボルにデータ復調を実行して（送信されたデータシンボルの推定である）データシンボル推定を取得し、受信データプロセッサ１７５５に対してデータシンボル推定を提供し、受信データプロセッサ１７５５は、データシンボル推定を復調し（すなわち、シンボルデマップし）、デインターリーブし、デコードして、送信されたトラフィックデータを復元する。シンボル復調器１７４５および受信データプロセッサ１７５５による処理は、それぞれ、アクセスポイント１７０５におけるシンボル変調器１７１５および送信データプロセッサ１７１０による処理と相補関係にある。
【００８９】
アップリンク上で、送信データプロセッサ１７６０はトラフィックデータを処理して、データシンボルを提供する。シンボル変調器１７６５はデータシンボルを受け取ってパイロットシンボルと多重化し、変調を実行し、シンボルのストリームを提供する。送信機１７７０は次にシンボルのストリームを受け取って処理してアップリンク信号を発生させ、アップリンク信号は、アンテナ１７３５によりアクセスポイント１７０５に送信される。
【００９０】
アクセスポイント１７０５において、ユーザデバイス１７３０からのアップリンク信号はアンテナ１７２５により受信され、サンプルを取得するために受信機１７７５により処理される。シンボル復調器１７８０は次にサンプルを処理し、アップリンクに対する受信されたパイロットシンボルおよびデータシンボル推定を提供する。受信データプロセッサ１７８５はデータシンボル推定を処理して、ユーザデバイス１７３０により送信されたトラフィックデータを復元する。プロセッサ１７９０は、アップリンク上で送信しているそれぞれのアクティブユーザデバイスに対するチャネル推定を実行する。複数のユーザデバイスは、それぞれの割り当てられたセットのパイロット副搬送波上で、アップリンク上で同時にパイロットを送信してもよく、パイロット副搬送波のセットはインターレースされてもよい。
【００９１】
プロセッサ１７９０および１７５０は、それぞれアクセスポイント１７０５およびユーザデバイス１７３０における動作を命令する（例えば、制御し、調整し、管理するなど）。それぞれのプロセッサ１７９０および１７５０は、プログラムコードおよびデータを記憶する（示していない）メモリユニットと関係付けることができる。プロセッサ１７９０および１７５０は、ここで記述した方法のいくつかを利用できる。それぞれのプロセッサ１７９０および１７５０はそれぞれ、計算を実行してアップリンクおよびダウンリンクに対する周波数およびインパルス応答推定を導くこともできる。
【００９２】
ソフトウェアの実現のために、ここで記述した機能を実行するモジュール（例えば、手続き、関数、など）により、ここで記述した技術を実現してもよい。ソフトウェアコードをメモリユニット中に記憶し、プロセッサにより実行してもよい。メモリユニットをプロセッサ内部またはプロセッサ外部で実現してもよく、どちらのケースにおいても、技術的に知られているさまざまな手段により、メモリユニットは通信可能にプロセッサと結合することができる。
【００９３】
上で記述したものは1つ以上の実施形態の例を含む。もちろん、前述の実施形態を記述する目的のために、構成部品または方法のすべての考えられる組み合わせを記述することは可能ではないが、当業者の１人は、さまざまな実施形態の多くのさらなる組み合わせおよび置換が可能であることを認識するかもしれない。したがって、記述した実施形態は、すべてのこのような変更、修正および変形を包含することが意図されており、これらは添付された特許請求の範囲の精神および範囲内にある。その上、用語“含む”が詳細な説明または特許請求の範囲のどちらかで使用される限り、このような用語は、用語“具備する”が請求項中で移行語として使用されるときに解釈されるように用語“具備する”とある意味類似して包括的であることが意図されている。
【図面の簡単な説明】
【００９４】
【図１】図１は、ここで表した１つ以上の観点にしたがった送信機評価システムの説明図である。
【図２】図２は、ここで表した１つ以上の観点にしたがったワイヤレス通信システムの説明図である。
【図３】図３は、ここで表した１つ以上の観点にしたがったワイヤレス通信システムの説明図である。
【図４】図４は、ここで表した１つ以上の観点にしたがった送信機評価システムの説明図である。
【図５】図５は、測定された信号と送信された信号との間の差を図示するコンステレーション図である。
【図６】図６は、ここで表した１つ以上の観点にしたがって、送信機を評価する方法を図示する。
【図７】図７は、ここで表した１つ以上の観点にしたがって、送信機を評価する方法を図示する。
【図８】図８は、ここで表した１つ以上の観点にしたがって、粗いチャネル推定を発生させる方法を図示する。
【図９】図９は、ここで表した１つ以上の観点にしたがって、変調シンボルを決定する方法を図示する。
【図１０】図１０は、ここで表した１つ以上の観点にしたがって、変調シンボルを決定する方法を図示する。
【図１１】図１１は、ここで表した１つ以上の観点にしたがった、領域へのコンステレーション図の分割を図示する。
【図１２】図１２は、ここで表した１つ以上の観点にしたがって、送信機評価の間に変調シンボルを決定する方法を図示する。
【図１３】図１３は、ここで表した１つ以上の観点にしたがって、位相補正を使用する送信機を評価する方法を図示する。
【図１４】図１４は、ここで表した１つ以上の観点にしたがって、位相補正を実行する方法を図示する。
【図１５】図１５は、ここで表したさまざまな観点にしたがって、ワイヤレス通信環境における送信機性能を評価するシステムの説明図である。
【図１６】図１６は、ここで表したさまざまな観点にしたがって、ワイヤレス通信環境における送信機性能を監視するシステムの説明図である。
【図１７】図１７は、ここで記述したさまざまシステムおよび方法に関連して、用いることができるワイヤレス通信環境の説明図である。
【図１】
2009515490.tif 000022
【図２】
2009515490.tif 000023
【図３】
2009515490.tif 000024
【図４】
2009515490.tif 000025
【図５】
2009515490.tif 000026
【図６】
2009515490.tif 000027
【図７】
2009515490.tif 000028
【図８】
2009515490.tif 000029
【図９】
2009515490.tif 000030
【図１０】
2009515490.tif 000031
【図１１】
2009515490.tif 000032
【図１２】
2009515490.tif 000033
【図１３】
2009515490.tif 000034
【図１４】
2009515490.tif 000035
【図１５】
2009515490.tif 000036
【図１６】
2009515490.tif 000037
【図１７】
2009515490.tif 000038
【国際調査報告】
2009515490.tif 000039
2009515490.tif 000040
2009515490.tif 000041